(57)【要約】【課題】  充分な蛇行防止効果と耐久性を両立させつつ、基材の伸張を防止して、復元時の剥離等の問題を解消すると共に、製造も容易で、安価に得られる蛇行防止ガイドテープを提供する。【解決手段】  蛇行防止ガイドテープ２０は、エンドレスベルトの少なくとも一側面に設けられて蛇行を防止するものである。このような蛇行防止ガイドテープ２０では、ウレタン若しくは、ＥＶＡ系素材で、構成されるホットメルトフィルムを、基材層２２に熱転写して、ベルト側基材層２１を構成する。    ベルト貼設側側面２１ａには、エンドレスベルト８との接着に用いる接着層１６が形成され、離型紙１７が、この接着層１６に対して、離型自在となるように添着されている。【選択図】  図１
2005345857.tif 000002
【特許請求の範囲】
【請求項１】
エンドレスベルトの少なくとも一側面に設けられて蛇行を防止する蛇行防止ガイドテープ本体を有する蛇行防止ガイドテープにおいて、前記蛇行防止ガイドテープ本体の一側面側に、ホットメルトフィルムを熱転写した層を形成したことを特徴とする蛇行防止ガイドテープ。
【請求項２】
エンドレスベルトの少なくとも一側面に設けられて蛇行を防止する蛇行防止ガイドテープ本体を有する蛇行防止ガイドテープにおいて、前記蛇行防止ガイドテープ本体の一側面側に、ホットメルトフィルムを熱転写したことを特徴とする蛇行防止ガイドテープの製造方法。
【請求項３】
前記ホットメルトフィルムを熱転写する際に、接着層を同時に形成することを特徴とする請求項２記載の蛇行防止ガイドテープの製造方法。
【発明の詳細な説明】
【技術分野】
【０００１】
この発明は、例えば、電子写真方式を採用した複写機、レーザープリンタ等を構成する感光装置、中間転写装置、転写分離装置、搬送装置、帯電装置、現像装置等に使用されるエンドレスベルトの蛇行防止に用いて好適な蛇行防止ガイドテープに関する。
【背景技術】
【０００２】
従来のこの種の蛇行防止ガイドテープとしては、図６及び図７に示すようなものが知られている。
【０００３】
このようなものでは、中間転写装置１が、感光ドラム２と、この感光ドラム２の表面を略均一に帯電させる帯電器３と、画像に対応した静電潜像を現像する現像器４と、この静電潜像を、複数のローラ５〜７により、内側面から支持されるエンドレスベルト８に転写する静電転写器９等とから主に構成されている。
【０００４】
そして、前記ローラ７と、押圧ローラ１０との間を通る記録紙１１に、前記転写された画像が印刷される。
【０００５】
このように、前記エンドレスベルト８を、高精度に回転駆動するには、前記各ローラ５〜７の軸が、平行で、各ローラ５〜７の真円度、真直度が高いこと等、各種条件が必要となる。
【０００６】
これらの条件が満たされないと、前記エンドレスベルト８が蛇行して、露光位置や、転写位置がずれるため画像ムラや画像ずれが発生する虞があった。
【０００７】
このため、このようなエンドレスベルト８の蛇行を防止するため、例えば、駆動ロールにフランジを設けたり（例えば、特許文献１参照）、或いは、蛇行量を検出し、各ロールの平行度を制御する方法が提案されている（例えば、特許文献２参照）。
【０００８】
このような前記フランジを設ける方法では、蛇行量が大きいと、エンドレスベルト８が、このフランジに乗り上げて破断する虞があった。また、ロールの平行度を制御する方法では、構造が、複雑で、高価なものとなってしまうといった問題があった。
【０００９】
また、蛇行防止用のガイドテープを前記エンドレスベルト８の内側に貼り付けて、前記各ローラ５〜７とのずれを防止する方法が、知られている（例えば、特許文献３乃至１０参照）。
【００１０】
例えば、図７に示すように、所定の硬度を有する蛇行防止ガイド基材１２に、接着材を塗布することにより得られる接着層１３を介して、引張弾性率５０００Ｋｇ／ｃｍ２以上の引っ張り強度を有する補強基材１４が接着されて、蛇行防止ガイドテープ１５が構成されている。
【００１１】
なお、図中符号１６は、前記エンドレスベルト８との接着に用いる接着層で、離型紙１７が粘着面に離型自在となるように添着されている。
【００１２】
このように構成された蛇行防止ガイドテープ１５では、蛇行防止ガイド基材１２によって、充分な蛇行防止効果と耐久性とを両立させつつ、この蛇行防止ガイド基材１２に、接着材が塗布されて形成された接着層１３を介して、前記補強基材１４が接着されることにより、前記エンドレスベルト８への張付時における前記蛇行防止ガイド基材１２の伸張を防止して、復元時の収縮による剥離が起こらないようにしている。
【特許文献１】特開昭５８−１００１４５号公報
【特許文献２】特開昭５９−２０３０３６号公報
【特許文献３】特開平７−１８７４３５号公報
【特許文献４】特開平８−９９７０６号公報
【特許文献５】特開平８−２２５１７８号公報
【特許文献６】特開平１１−３３８１７４号公報
【特許文献７】特開平１１−３３８１７５号公報
【特許文献８】特開平１１−３５２８３２号公報
【特許文献９】特許公開２０００−２９３２６号公報
【特許文献１０】特許公開２０００−７５７２８号公報
【発明の開示】
【発明が解決しようとする課題】
【００１３】
しかしながら、このような従来の蛇行防止ガイドテープでは、前記接着材で形成された接着層１３を介して、前記蛇行防止ガイド基材１２に、前記補強基材１４が接着されるように構成されている。
【００１４】
このため、この蛇行防止ガイドテープを形成する際、別途、接着材の親和性を向上させるための有機溶剤等からなるプライマーを用意して、略均等に、前記蛇行防止ガイド基材１２の一側面或いは、前記補強基材１４の一側面に塗布しなければならない。
【００１５】
この際、プライマーが飛散してしまうため、飛散を防止したり、或いは換気により、良好な作業環境を保つための換気設備等を製造工程に有する生産ラインを設けなければならなかった。
【００１６】
また、プライマーが透明であるため、塗布が良好に行われているか否かを目視で管理することが困難であった。
【００１７】
更に、前記補強基材１４と、前記離型紙１７との間に、前記エンドレスベルト８との接着に用いる接着層１６を設ける工程でも、補強基材１４の一側面に、プライマーが塗布されているかを確認しながら作業を進めることは困難である。
【００１８】
しかも、略均等に接着材が塗布されているかを確認しなければならず、作業性を低下させていた。
【００１９】
このため、蛇行防止ガイドテープの作成が容易であるとは言い難く、製造コストの増大を抑制することが出来ないといった問題があった。
【００２０】
そこで、この発明は、充分な蛇行防止効果と耐久性を両立させつつ、基材の伸張を防止して、復元時の剥離等の問題を解消すると共に、製造も容易で、安価に得られる蛇行防止ガイドテープを提供することを課題としている。
【課題を解決するための手段】
【００２１】
前記課題を解決するため本願発明の請求項１に記載されたものでは、エンドレスベルトの少なくとも一側面に設けられて蛇行を防止する蛇行防止ガイドテープ本体を有する蛇行防止ガイドテープにおいて、前記蛇行防止ガイドテープ本体の一側面側に、ホットメルトフィルムを熱転写した蛇行防止ガイドテープを特徴としている。
【発明の効果】
【００２２】
ここで、蛇行防止ガイドテープの素材とは、例えば、ウレタンゴム、ＥＶＡ等の高分子素材或いは他の物質との樹脂化合物である。
【００２３】
このように構成された請求項１記載のものでは、前記蛇行防止ガイドテープ本体の一側面側に、ホットメルトフィルムが、熱転写されると、少なくとも２層の基材が、積層された状態で溶着される。
【００２４】
このため、別途、接着層を形成する接着材等を塗布等する必要が無くなる。
【００２５】
例えば、接着に必要とされる有機溶剤のプライマーが不要となり、このプライマーが飛散する虞が無くなる。
【００２６】
従って、前記換気設備や、前記プライマーの塗布量の管理も不要となり、工程を簡略化して、製造設備の増大を抑制し、製造コストを減少させることができる。
【００２７】
また、熱転写されたホットメルトフィルムは、素材として安定していて、一定量の接着材の使用によって、容易に、前記エンドレスベルトの少なくとも一側面に貼設させることができる。
【００２８】
このため、接着材使用量を減少させることが出来る。
【００２９】
しかも、前記蛇行防止ガイドテープ本体の一側面側に、ホットメルトフィルムを所定の温度で圧着するだけで、容易に、蛇行防止ガイドテープの作成を行うことが出来る。
【発明を実施するための最良の形態】
【００３０】
以下、本発明の具体的な最良の実施の形態について、図面を参照しつつ説明する。
なお、前記従来例と同一乃至均等な部分については、同一符号を付して説明する。
【００３１】
図１乃至図５は、この発明の実施の形態の蛇行防止ガイドテープ及びその製造工程を示すものである。
【００３２】
まず、構成を説明すると、この実施の形態の蛇行防止ガイドテープ２０は、コピー機等のローラ５周囲に巻き回されるエンドレスベルト８の一側面である内周面８ａに貼設されて、前記ローラ５の外周面５ａに凹設形成されたガイド溝部５ｂに係合することにより、このエンドレスベルト８の蛇行が、防止されるものである。
【実施例１】
【００３３】
この実施例１の蛇行防止ガイドテープ２０では、主に、ウレタン系材料で構成されて、蛇行防止ガイドテープ本体となる基材層２２と、この基材層２２のエンドレスベルト８側に設けられて、製造時には、ホットメルトフィルムとして、前記基材層２２に熱溶着されるベルト側基材層２１と、このベルト側基材層２１のベルト貼設側側面２１ａに設けられる離型紙１７とを有して、構成されている。
【００３４】
このうち、前記ベルト貼設側側面２１ａには、前記エンドレスベルト８との接着に用いる接着層１６が形成され、離型紙１７が、この接着層１６に対して、離型自在となるように添着されている。
【００３５】
この蛇行防止ガイドテープ２０は、幅約３〜８ｍｍ、長さ約８００ｍｍの長尺形状を呈し、前記ホットメルトフィルム１９の溶着によって形成されるベルト側基材層２１が、主に、ウレタン系素材若しくは、ＥＶＡ（エチレン−酢ビ共重合樹脂）系素材で構成されている。
【００３６】
このうち、前記ベルト側基材層２１は、ＪＩＳＡによる硬度が、９０Ｈｓのウレタン若しくは、ＥＶＡ系素材で構成されていて、厚みを約０．０１〜０．３ｍｍとしている。
【００３７】
また、前記他方側の基材層２２は、ＪＩＳＡによる硬度が、６０Ｈｓのウレタン若しくは、ＥＶＡ系素材で構成されて、厚みを約０．４〜１．５ｍｍとしている。
【００３８】
しかも、この実施の形態の蛇行防止ガイドテープ２０では、これらの前記ベルト側基材層２１及び前記基材層２２を積層して熱で溶着させている。
【００３９】
次に、この実施例１の蛇行防止ガイドテープ２０の作用について、この蛇行防止ガイドテープの製造工程に沿って説明する。
【００４０】
まず、図５を用いて、この蛇行防止ガイドテープ２０の製造工程から説明すると、この実施例１では、回転するローラ部材１０１，１０２間に、前記基材層２２となるウレタン素材シート１８と、ベルト側基材層２１となる熱溶融性のウレタン若しくは、ＥＶＡ系素材で構成されたホットメルトフィルム１９とが、加熱されながら、合わせられるように挿通されて、ウレタン素材シート１８に、ホットメルトフィルム１９が、熱溶着される。
【００４１】
この際、図５中実線で示すように、予め前記ベルト側基材層２１のベルト貼設側側面２１ａに、接着層１６と共に、前記離型紙１７が、貼設されるようにしている。
【００４２】
また、図５中二点鎖線で示すように、熱溶着される際に、同時に、前記ベルト側基材層２１のベルト貼設側側面２１ａに、接着層１６及び、前記離型紙１７を圧接して貼設されるようにしてもよい。
【００４３】
更に、前記ウレタン素材シート１８に、ホットメルトフィルム１９が、熱溶着されて、前記基材層２２にベルト側基材層２１が固着された後に、前記接着層１６を介して、前記離型紙１７が、貼設されるようにしてもよい。
【００４４】
前記ベルト側基材層２１と基材層２２とは、ウレタン若しくは、ＥＶＡ系素材の溶融によって接着されるので、接着性が相互に良好でない素材同士でも、冷却による凝固で、相互に強固に接着される。
【００４５】
このように構成された実施の形態の蛇行防止ガイドテープ２０は、前記離型紙１７が剥がされて、前記接着層１６を露出させることにより、図２に示すように、前記エンドレスベルト８の内周面８ａに沿って貼設される。
【００４６】
この際、前記蛇行防止ガイドテープ２０のうち、エンドレスベルト８側に位置するベルト側基材層２１が、ウレタン若しくは、ＥＶＡ系素材で構成されているので、伸張しにくい。
【００４７】
また、ベルト側基材層２１は、熱溶着の際に、溶融して、前記エンドレスベルト８との間に介在される接着層１６を親和させている。
【００４８】
このため、この接着層１６に対する離型紙１７の離型が容易に行えるので、例えば、図５中二点鎖線に示すように、離型紙１７に接着層を均一に塗布して、熱溶着の際に、ベルト側基材層２１に親和させれば、別途、ベルト側基材層２１の一側面に、接着材を略均等に塗布する必要が無くなり、作業性が良好である。
【００４９】
そして、熱転写されたホットメルトフィルム１９は、硬化後、ベルト側基材層２１となり、素材として安定する。このため、一定量の接着材の使用によって、容易に、前記エンドレスベルト８との接着性を、良好なものとすることが出来る。
【００５０】
また、前記ホットメルトフィルム１９を熱転写する際に、接着層１６を同時に形成することにより、接着材を塗布する工程や、接着材の塗布量の管理も不要となり、製造工程を簡略化して、製造設備の増大を抑制し、この点でも、製造コストを減少させることができる。
【００５１】
更に、前記他方側の基材層２２は、ＪＩＳＡによる硬度が、６０Ｈｓ程度の比較的軟らかいウレタン若しくは、ＥＶＡ系素材で構成されていれば、圧縮されて、前記ローラ５〜７の円弧に沿う半径方向距離の小さい内周面への貼設でも、容易に折曲されると共に、歪み応力が小さい状態で保持される。
【００５２】
このように、前記エンドレスベルト８側に設けられるベルト側基材層２１は、他方の基材層２２に比して、高硬度とすれば、前記エンドレスベルト８への張付時におけるこれらの各基材２１，２２の伸張が防止されて、復元時の収縮率を少なくすることが出来る。
【００５３】
従って、前記蛇行防止ガイドテープ２０のエンドレスベルト８からの剥離が防止される。
【００５４】
また、この実施例１では、硬度の異なる２層のベルト側基材層２１及び基材層２２が、積層された状態で、加熱により溶着される。
【００５５】
このため、別途、これらのベルト側基材層２１及び基材層２２間に、従来のように、接着材を塗布する等、接着層を形成する工程を行う必要が無い。
【００５６】
従って、接着材使用量を減少させることが出来ると共に、基材間を所定の温度で圧着するだけで、容易に、蛇行防止ガイドテープ２０の作成を行うことが出来る。
【００５７】
例えば、接着に必要とされる有機溶剤のプライマーが不要となり、このプライマーが飛散する虞が無くなる。
【００５８】
従って、前記換気設備や、前記プライマーの塗布量の管理も不要となり、工程を簡略化して、製造設備の増大を抑制し、製造コストを減少させることができる。
【００５９】
また、熱転写されたホットメルトフィルムは、素材として安定していて、一定量の接着材の使用によって、容易に、前記エンドレスベルト８の少なくとも一側面に貼設させることができる。
【００６０】
このため、接着材使用量を、更に、減少させることが出来る。
【００６１】
特に、前記ベルト側基材層２１のベルト貼設側側面２１ａに、前記エンドレスベルト８との接着に充分な接着性が、残存していれば、直接、エンドレスベルト８にこの蛇行防止ガイドテープ２０を接着してもよい。
【００６２】
しかも、前記蛇行防止ガイドテープ本体である基材層２２となるウレタン素材１８の一側面側１８ａに、ホットメルトフィルム１９を所定の温度で圧着するだけで、容易に、蛇行防止ガイドテープの作成を行うことが出来る。
【００６３】
上述してきたように、ベルト側基材層２１及び基材層２２を積層して熱で溶着させることにより、充分な蛇行防止効果と耐久性を両立させつつ、基材の伸張が防止されて、復元時の剥離等の問題が解消されると共に、製造も容易な蛇行防止ガイドテープが、安価に提供される。
【実施例２】
【００６４】
以下、本発明の具体的な実施の形態の実施例２の蛇行防止ガイドテープ３０について、図３を参照しつつ説明する。
【００６５】
なお、前記実施の形態と同一乃至均等な部分については、同一符号を付して説明する。
【００６６】
図３は、この実施例２の蛇行防止ガイドテープ３０を示すものである。
【００６７】
まず、構成を説明すると、この実施例２の蛇行防止ガイドテープ３０では、ホットメルトフィルムとして、エンドレスベルト側に設けられる蛇行防止ガイドテープ本体としてのベルト側基材層３１に、基材層３２が熱転写されることにより、主に構成されるものである。
【００６８】
そして、この実施例２では、エンドレスベルト側に設けられるベルト側基材層３１が、比較的低硬度であるＪＩＳＡによる硬度６０Ｈｓのウレタン若しくは、ＥＶＡ系素材で構成されて、厚みを約０．４〜１．５ｍｍとしている。
【００６９】
また、基材層３２は、ＪＩＳＡによる硬度が、９０Ｈｓのウレタン若しくは、ＥＶＡ系素材で構成されて、厚みが約０．０１〜０．３ｍｍとすることにより、前記エンドレスベルト側のベルト側基材層３１に対して、この他方側の基材層３２で構成される表面を比較的高硬度としている。
【００７０】
次に、この実施例２の作用について説明する。
【００７１】
このように構成された実施例２の蛇行防止ガイドテープでは、前記実施例１の作用効果に加えて、更に、前記エンドレスベルト側に設けられるベルト側基材層３１に比して、表面を構成する基材層３２が、比較的高硬度であるので、耐摩耗性を向上させることが出来る。
【００７２】
他の構成及び作用効果については、前記実施例１と同一乃至均等であるので、説明を省略する。
【実施例３】
【００７３】
以下、本発明の具体的な実施の形態の実施例３の蛇行防止ガイドテープ４０について、図４を参照しつつ、説明する。
【００７４】
なお、前記実施例１，２と同一乃至均等な部分については、同一符号を付して説明する。
【００７５】
図４は、この発明の実施の形態の実施例３の蛇行防止ガイドテープ４０を示すものである。
【００７６】
まず、構成を説明すると、この実施例３の蛇行防止ガイドテープ４０では、エンドレスベルト側に設けられるベルト側基材層４３が、比較的高硬度であるＪＩＳＡによる硬度９０Ｈｓのウレタン若しくは、ＥＶＡ系素材で構成されて、厚みを約０．０１〜０．３ｍｍとしている。
【００７７】
また、中間基材層４１は、ＪＩＳＡによる硬度が、６０Ｈｓのウレタン若しくは、ＥＶＡ系素材で厚みが約０．４〜１．５ｍｍを呈するように構成されている。
【００７８】
そして、この中間基材層４１の表面が、表面側基材層４２で覆われている。
【００７９】
この表面側基材層４２は、厚みを約０．０１〜０．４ｍｍとして比較的高硬度であるＪＩＳＡによる硬度９０Ｈｓのウレタン若しくはＥＶＡ系素材で構成されている。
【００８０】
更に、この表面側基材層４２は、ウレタン若しくはＥＶＡ系素材で構成されていて、耐摩耗性を有して比較的高硬度に形成されている。
【００８１】
そして、この中間基材層４１の表面側に、前記表面側基材層４２が熱溶着されて、蛇行防止ガイドテープ本体が主に構成されると共に、この中間基材層４１の裏面側に、前記ベルト側基材層４３が、ホットメルトフィルムとして熱転写されて、サンドイッチ状とされている。
【００８２】
次に、この実施例３の作用について説明する。
【００８３】
この実施例３では、前記実施例１，２の作用効果に加えて、更に、前記中間に設けられる中間基材層４１，ベルト側基材層４３に比して、表面を構成する他方の基材層４２が、高硬度であるので、耐摩耗性を向上させることが出来る。
【００８４】
また、前記中間基材層４１と、各前記ベルト側基材層４３との間は、同一材質であるウレタン若しくは、ＥＶＡ系素材で構成されているので、熱転写により、容易に溶着出来、３層のサンドイッチ状の蛇行防止ガイドテープ４０を作成出来る。
【００８５】
他の構成及び作用効果については、前記実施例１及び２と同一乃至均等であるので、説明を省略する。
【００８６】
以上、この発明の実施の形態及び実施例１乃至３を図面により詳述してきたが、具体的な構成は、この実施の形態及び実施例１乃至３に限らず、この発明の要旨を逸脱しない範囲の設計の変更等があってもこの発明に含まれる。
【００８７】
例えば、前記実施例１の前記ベルト側基材層２１，実施例２の基材層３２及び、実施例３のベルト側基材層４３は、ＥＶＡ系素材を用いているが、ホットメルトフィルムとして、前記各基材層２２等に熱溶着可能なものであるならば、例えば、粘着ゴム系（エラストマー系）、オレフィン系、ポリエステル・ポリアミド系等の各種素材及びこれらの混合物を用いてもよい。
【００８８】
また、前記各実施例１乃至３のホットメルトフィルムは、基材２２等の一側面側に設けられているが、特にこれに限定されるものではなく、基材２２の両側面に各々設けても、少なくとも何れか一側面に設けられていればよい。
【００８９】
更に、基材２２等の一側面側に設けられているホットメルトフィルムが、単層であるものに限定されるものではなく、基材２２の側面に複数層積層されるように、数枚のホットメルトフィルムを熱転写してもよい。
【００９０】
また、前記実施の形態では、コピー機のローラ５等に巻き回されたエンドレスベルトに、蛇行防止ガイドテープ２０を用いたものを示して説明してきたが、このような電子写真方式を採用した複写機に限らず、レーザープリンタ等を構成する感光装置、中間転写装置、転写分離装置、搬送装置、帯電装置、現像装置等に使用される蛇行防止ガイドテープであるならば、形状、数量、適用箇所が特に限定されるものではない。
【００９１】
更に、前記実施の形態では、前記蛇行防止ガイドテープ２０と、前記エンドレスベルト８との間の接着に、接着材で形成される接着層１６が用いられているが、特にこれに限らず、例えば、接着材を少なくとも一部に有する両面粘着テープ等によって、接着層が形成されているものであっても良く、また、接着時に、塗布或いは、添着されるものであってもよい。
【００９２】
更に、前記ベルト側基材層２１のベルト貼設側側面２１ａに、前記エンドレスベルト８との接着に充分な接着性が、残存していれば、直接、蛇行防止ガイドテープ２０をエンドレスベルト８に接着してもよい。
【００９３】
以上説明してきたように、この発明の請求項１記載のものによれば、前記蛇行防止ガイドテープ本体の一側面側に、ホットメルトフィルムが、熱転写されると、少なくとも２層の基材が、積層された状態で溶着される。
【００９４】
このため、別途、接着層を形成する接着材等を塗布等する必要が無くなる。
【００９５】
例えば、接着に必要とされる有機溶剤のプライマーが不要となり、このプライマーが飛散する虞が無くなる。
【００９６】
従って、前記換気設備や、前記プライマーの塗布量の管理も不要となり、工程を簡略化して、製造設備の増大を抑制し、製造コストを減少させることができる。
【００９７】
また、熱転写されたホットメルトフィルムは、素材として安定していて、一定量の接着材の使用によって、容易に、前記エンドレスベルトの少なくとも一側面に貼設させることができる。
【００９８】
このため、接着材使用量を減少させることが出来る。
【００９９】
しかも、前記蛇行防止ガイドテープ本体の一側面側に、ホットメルトフィルムを所定の温度で圧着するだけで、容易に、蛇行防止ガイドテープの作成を行うことが出来る、という実用上有益な効果を発揮する。
【図面の簡単な説明】
【０１００】
【図１】本発明の最良の実施の形態で、蛇行防止ガイドテープの構成を説明する一部断面斜視図である。
【図２】実施の形態の蛇行防止ガイドテープを用いたコピー機のローラ部分を示す一部断面斜視図である。
【図３】実施の形態の実施例１の蛇行防止ガイドテープで、構成を説明する一部断面斜視図である。
【図４】実施の形態の実施例２の蛇行防止ガイドテープで、構成を説明する一部断面斜視図である。
【図５】実施の形態の蛇行防止ガイドテープの製造工程を説明する模式図である。
【図６】従来の蛇行防止ガイドテープを利用した中間転写装置の模式図である。
【図７】従来の蛇行防止ガイドテープの一部断面斜視図である。
【符号の説明】
【０１０１】
５〜７      ローラ
５ｂ        ガイド溝部
８          エンドレスベルト
８ａ        内周面（一側面）
２０，３０，４０
蛇行防止ガイドテープ
ホットメルトフィルム
２１      ベルト側基材層
３２      基材層
４３      ベルト側基材層
蛇行防止ガイドテープ本体
２２      基材層
３１      ベルト側基材層
４１      中間基材層
４２      表面側基材層
【図１】
2005345857.tif 000003
【図２】
2005345857.tif 000004
【図３】
2005345857.tif 000005
【図４】
2005345857.tif 000006
【図５】
2005345857.tif 000007
【図６】
2005345857.tif 000008
【図７】
2005345857.tif 000009